(57)【要約】【課題】手術やカニュレーションの練習に用いられる脳モデル素材等、粘弾性のないゲルへの需要に応える。高温で分離しやすく、また長期の安定性に欠ける従来の多価アルコール類ゲル状組成物の欠点を解消したゲル状組成物を提供する。【解決手段】式（１）で表されるグリチルリチン酸ジエステル類を、グリセリンに適切な比率にて溶解させた後、一定時間放置すると、グリチルリチン酸ジエステル類のグリセリン溶液はゲル化することを見出した。ただし、このゲル化物は、ゼラチンや寒天とは異なり、温度感受性が無い特徴を有している。すなわち、再び高温条件下にても液化しないのである。また、本ゲルには粘弾性がないため、現在はやむを得ず食品ゼリー等で代替している脳モデル素材としての資質を備えている。長期の安定性も有しており、化粧品などの分野で利用される多価アルコール類ゲルとしても利用可能である。【選択図】図１
2015048476.tif 000002
【特許請求の範囲】
【請求項１】
式（１）
【化１】
2015048476.tif 000003
（式中、Ｒは任意に置換されたアルキル基を表す。）
で表されるグリチルリチン酸ジエステル類をゲル化剤としてグリセリンに配合することを特徴とするグリセリンゲル状組成物。
【請求項２】
式（１）のＲが、メチルあるいはエチルである請求項１のグリセリンゲル状組成物。
【請求項３】
グリチルリチン酸ジエステル類を０．５〜５質量％配合することを特徴とする請求項１のグリセリンゲル状組成物
【請求項４】
ゲル化剤として配合されたグリチルリチン酸ジエステル類をグリセリンに溶解した後、３０分〜３時間、望ましくは１〜２時間放置することによって得られる請求項１のグリセリンゲル状組成物
【請求項５】
脳モデルなどのゲル材料や化粧料に用いられる請求項１に記載のグリセリンゲル状組成物
【発明の詳細な説明】
【技術分野】
【０００１】  本発明は、グリセリンに式（１）で表されるグリチルリチン酸ジエステル類を配合することにより得られる、新規脳モデルや化粧料材料として用いることが可能な、粘弾性を有しないグリセリンゲル状組成物に関する。
【背景技術】
【０００２】  ゲル状の組成物としては、粘弾性を有するものはゼラチンや寒天を始めとして多様である。一方、粘弾性を有しないものは、数少ない。粘弾性のないゲル状組成物を望む用途としては、例えば手術やカニュレーションの練習に用いる脳モデル素材がある。これまでは、コンニャクや高分子ゲルが用いられてきたが、粘弾性を有するため、実際の脳と同じ物理的な特性ではなく、必ずしも満足の行く練習材料とは言えない。そこで、粘弾性のないゲル状組織物が求められていた。一方、ゲル状の組成物は、溶剤としての効果を有しながら使用感は非流動性の特性を有し、化粧料などの皮膚外用剤の分野においては、溶液特性を備えた非流動性組成物という特徴を生かし広く利用されている。例えば、高分子ゲル化剤やベントナイト系の無機ゲル化剤を用いた水性ゲルは、水の持つ溶剤特性である爽やかさを提供するアンダーメークアップ化粧料などの化粧料や、抗炎症成分を含有させた皮膚外用医薬などに応用されている。また、オイルをワックス等でゲル化させたオイルゲルは、オイルの溶媒としての効果を利用して、例えば、油性汚れを落とすクレンジングなどに使用されている。しかしながら、アルコール類、とりわけ、多価アルコール類をゲル化させるゲル化剤として知られているものは、数少ない。アスパラギン酸フェニルアラニン環状ジペプタイド誘導体の１種ないしは２種以上をグリセリンに配合する技術（特許文献１）、あるいは管状の塩基性炭酸マグネシウムをゲル化剤として配合することを特徴とするグリセリンゲル状組成物（特許文献２）はその僅かな例である。グリセリン又はその縮合物と、炭素数１８〜２８の直鎖状飽和脂肪酸と、炭素数２０〜２８の脂肪族飽和二塩基酸とのエステル化生成物であって、前記グリセリン又はその縮合物の水酸基の１／２を超えて残存させた部分エステル化生成物であり、該エステル化生成物を用いて、常温で液状のグリセリン等をゲル化又は固化する技術もあった（特許文献３）。ただし、これまでのグリセリンゲル状組成物は、高温で分離しやすく、また長期の保存に安定性が欠けるという欠点を有していた。
【先行技術文献】
【特許文献】
【０００３】
【特許文献１】公開特許公報２００１−２４７４５１
【特許文献２】公開特許公報２００６−９６７０７
【特許文献３】公開特許公報平７−１２６６０３
【０００４】
【発明の概要】
【発明が解決しようとする課題】
【０００５】  本発明の課題は、これらの欠点を解消し、脳モデルや化粧料などに適用した場合、極めて良好な使用感を与えるグリセリンゲル状組成物およびそれを配合する脳モデルや化粧料を提供することにある。
【課題を解決するための手段】
【０００６】  本発明者は、グリセリンをゲル化しうる優れたゲル化剤を求めて、従来の技術から離れて種々検討していた。一方、グリチルリチン酸ジエステル類は、その物性が全く知られていなかった。このジエステル類の内、グリチルリチン酸ジエチルエステルが合成された際に、用途検討を行う過程で、グリセリンのゲル化作用を検討したところ、優れたゲル化作用を有することを見出し、発明を完成させるに至った。グリチルリチン酸は、高濃度において水をゲル化させることが知られているが、グリセリンのような多価アルコール類のゲル化作用は知られていない。
すなわち、本発明は（１）グリセリンに、グリチルリチン酸ジエステル類をゲル化剤として配合することを特徴とするグリセリンゲル状組成物や、（２）（１）のグリチルリチン酸ジエステル類のエステルとなる炭素鎖としては、メチルあるいはエチルから選ばれ、（３）グリチルリチン酸ジエステル類を０．５〜５％質量％配合すること、（４）グリチルリチン酸ジエステル類を配合した溶液を３０分〜３時間、望ましくは１〜２時間放置することによりゲル化させることを特徴とする上記（１）記載のグリセリンゲル状組成物に関する。本発明に用いられるグリセリンは、薬剤や化粧品などに通常用いられるものであれば良い。
【発明の効果】
【０００７】  本ゲル化方法を利用することにより、粘弾性のないゲルが得られ、現行の脳モデル基剤の問題の解消が期待される。また、グリセリンゲル状組成物による化粧料も実現できる。以下、実施例によって本発明を詳述するが、本発明はこれらに限定されるものではない。
【発明を実施するための形態】
【０００８】以下の例中、部は重量部を意味する。
【実施例１】
【０００９】製造例１：グリセリンゲル組成物処方
グリチルリチン酸ジエチルエステル１０ｇを秤取し、５０容量％エタノール水溶液７３．５ｇを加えて溶解する。ここにグリセリン４１６．５ｇを加える。
製造例２：グリセリンゲル組成物製造
撹拌を維持しながら、６０℃の恒温槽に１時間放置する。その後室温に戻す。これにより、ゲル化が達成された。
試験例１：グリチルリチン酸ジエチルエステル濃度２．４質量％として調製したゲルを用いた粘度測定では、せん断応力が１０Ｐａ以下ではチキソ性を示し、クリープ現象を示したが、１０Ｐａ以上では急激にゲル崩壊の挙動を示した。また、動的粘弾性測定より、温度（２５℃，５０℃）の影響は顕著ではなく、降伏応力以下では弾性項が粘性項よりも高い状態が維持され、降伏応力を超えた環境下では弾性項が急激に低下し、粘性項よりも低いレベルであった。ゲル形成により複合体あるいは反応物は確認できなかったが、ガラス転移温度に顕著な違いが観察され、ゲル化によりグリセリン単独の性状と異なる物理ゲルの特性が示された。
【図面の簡単な説明】
【００１０】
【図１】式中Ｒは任意のアルキル基であるグリチルリチン酸ジエステル類である。
【図１】
2015048476.tif 000004